(57)【要約】  基地局によってローカルセル識別子衝突を検出することが、第1の基地局においてユーザデバイスから、第2の基地局と関連付けられた専用識別子を受信することによって実現可能である。専用識別子は、第2の基地局と関連付けられたユーザデバイス識別子および第2の基地局と関連付けられたローカルセル識別子を含む、または他の方法でこれらにマップすることができる。専用識別子に基づいて、第1の基地局において、第1の基地局と第2の基地局との間にローカルセル識別子衝突があると決定することができる。
2016517209.tif 000002
【特許請求の範囲】
【請求項１】
基地局によってローカルセル識別子衝突を検出するための方法であって、
第1の基地局でユーザデバイスから、第2の基地局と関連付けられた専用識別子を受信するステップであって、前記専用識別子が、前記第2の基地局と関連付けられたユーザデバイス識別子および前記第2の基地局と関連付けられたローカルセル識別子を含む、または他の方法でこれらにマップする、ステップと、
前記第1の基地局において、前記専用識別子に基づいて前記第1の基地局と前記第2の基地局との間にローカルセル識別子衝突があると決定するステップと
を含む、方法。
【請求項２】
前記ユーザデバイス識別子が、セル無線ネットワーク一時識別子(c-RNTI)を含み、前記ローカルセル識別子が、物理セル識別子(PCI)を含む、請求項1に記載の方法。
【請求項３】
前記ローカルセル識別情報衝突があると決定するステップが、受信した前記PCIが前記第1の基地局の前記PCIに一致すること、および前記c-RNTIが前記第1の基地局によってユーザデバイスに割り当てられたいかなるc-RNTIにも一致しないことに基づく、請求項2に記載の方法。
【請求項４】
前記専用識別子が、shortMAC-Iをさらに含む、請求項2に記載の方法。
【請求項５】
前記ローカルセル識別子衝突があると決定するステップが、受信した前記PCIが前記第1の基地局の前記PCIに一致すること、および前記c-RNTIが前記第1の基地局によって少なくとも1つのユーザデバイスに割り当てられたc-RNTIに一致すること、ならびに前記shortMAC-Iが前記第1の基地局によって前記一致するc-RNTIを割り当てられた同じユーザデバイスの現在のshortMAC-Iに一致しないことに基づく、請求項4に記載の方法。
【請求項６】
前記c-RNTI、PCI、およびshortMAC-I識別子が、再接続メッセージにおいて受信される、請求項4に記載の方法。
【請求項７】
前記専用識別子が、前記第2の基地局と関連付けられた物理セル識別子(PCI)にマップするグローバルセル識別子(GCI)を含む、請求項1に記載の方法。
【請求項８】
前記専用識別子が、前記第2の基地局によって前記ユーザデバイスに割り当てられるプリアンブル署名をさらに含む、請求項1に記載の方法。
【請求項９】
前記ローカルセル識別情報衝突があると決定するステップが、前記第1の基地局がいかなるユーザデバイスにも前記プリアンブル署名を割り当てていないことに基づく、請求項8に記載の方法。
【請求項１０】
前記ローカルセル識別情報衝突があると決定するステップが、前記第1の基地局がその制御下のユーザデバイスに前記プリアンブル署名を割り当てたこと、および前記プリアンブル署名がアップリンクデータなしで予期しないときに受信されることに基づく、請求項8に記載の方法。
【請求項１１】
基地局によってローカルセル識別子衝突を検出するための装置であって、
第1の基地局でユーザデバイスから、第2の基地局と関連付けられた専用識別子を受信することであって、前記専用識別子が、前記第2の基地局と関連付けられたユーザデバイス識別子および前記第2の基地局と関連付けられたローカルセル識別子を含む、または他の方法でこれらにマップする、ことおよび
前記第1の基地局において、前記専用識別子に基づいて前記第1の基地局と前記第2の基地局との間にローカルセル識別子衝突があると決定すること
を行うように構成された少なくとも1つのプロセッサと、
前記少なくとも1つのプロセッサに結合されたメモリと
を含む、装置。
【請求項１２】
前記ユーザデバイス識別子が、セル無線ネットワーク一時識別子(c-RNTI)を含み、前記ローカルセル識別子が、物理セル識別子(PCI)を含む、請求項11に記載の装置。
【請求項１３】
前記少なくとも1つのプロセッサが、受信した前記PCIが前記第1の基地局の前記PCIに一致すること、および前記c-RNTIが前記第1の基地局によってユーザデバイスに割り当てられたいかなるc-RNTIにも一致しないことに基づいて、ローカルセル識別情報衝突があると決定するように構成される、請求項12に記載の装置。
【請求項１４】
前記専用識別子が、shortMAC-Iをさらに含む、請求項12に記載の装置。
【請求項１５】
前記少なくとも1つのプロセッサが、受信した前記PCIが前記第1の基地局の前記PCIと一致すること、および前記c-RNTIが前記第1の基地局によって少なくとも1つのユーザデバイスに割り当てられたc-RNTIに一致すること、および前記shortMAC-Iが前記第1の基地局によって前記一致するc-RNTIを割り当てられた同じユーザデバイスの現在のshortMAC-Iに一致しないことに基づいて、ローカルセル識別子衝突があると決定するように構成される、請求項14に記載の装置。
【請求項１６】
前記c-RNTI、PCI、およびshortMAC-I識別子が、再接続メッセージにおいて受信される、請求項14に記載の装置。
【請求項１７】
前記専用識別子が、前記第2の基地局と関連付けられた物理セル識別子(PCI)にマップするグローバルセル識別子(GCI)を含む、請求項11に記載の装置。
【請求項１８】
前記専用識別子が、前記第2の基地局によって前記ユーザデバイスに割り当てられるプリアンブル署名をさらに含む、請求項11に記載の装置。
【請求項１９】
前記少なくとも1つのプロセッサが、前記第1の基地局がいかなるユーザデバイスにも前記プリアンブル署名を割り当てていないことに基づいて、ローカルセル識別情報衝突があると決定するように構成される、請求項18に記載の装置。
【請求項２０】
前記少なくとも1つのプロセッサが、前記第1の基地局がその制御下のユーザデバイスに前記プリアンブル署名を割り当てたこと、および前記プリアンブル署名がアップリンクデータなしで予期しないときに受信されることに基づいて、ローカルセル識別情報衝突があると決定するように構成される、請求項18に記載の装置。
【請求項２１】
基地局によってローカルセル識別子衝突を検出するための装置であって、
第1の基地局でユーザデバイスから、第2の基地局と関連付けられた専用識別子を受信するための手段であって、前記専用識別子が、前記第2の基地局と関連付けられたユーザデバイス識別子および前記第2の基地局と関連付けられたローカルセル識別子を含む、または他の方法でこれらにマップする、手段と、
前記第1の基地局において、前記専用識別子に基づいて前記第1の基地局と前記第2の基地局との間にローカルセル識別子衝突があると決定するための手段と
を含む、装置。
【請求項２２】
前記ユーザデバイス識別子が、セル無線ネットワーク一時識別子(c-RNTI)を含み、前記ローカルセル識別子が、物理セル識別子(PCI)を含む、請求項21に記載の装置。
【請求項２３】
決定するための前記手段が、受信した前記PCIが前記第1の基地局の前記PCIに一致すること、および前記c-RNTIが前記第1の基地局によってユーザデバイスに割り当てられたいかなるc-RNTIにも一致しないことに基づいて、ローカルセル識別情報衝突があると決定するための手段を含む、請求項22に記載の装置。
【請求項２４】
前記専用識別子が、shortMAC-Iをさらに含む、請求項22に記載の装置。
【請求項２５】
決定するための前記手段が、受信した前記PCIが前記第1の基地局の前記PCIと一致すること、および前記c-RNTIが前記第1の基地局によって少なくとも1つのユーザデバイスに割り当てられたc-RNTIに一致すること、および前記shortMAC-Iが前記第1の基地局によって前記一致するc-RNTIを割り当てられた同じユーザデバイスの現在のshortMAC-Iに一致しないことに基づいて、ローカルセル識別情報衝突があると決定するための手段を含む、請求項24に記載の装置。
【請求項２６】
前記c-RNTI、PCI、およびshortMAC-I識別子が、再接続メッセージにおいて受信される、請求項24に記載の装置。
【請求項２７】
前記専用識別子が、前記第2の基地局と関連付けられた物理セル識別子(PCI)にマップするグローバルセル識別子(GCI)を含む、請求項21に記載の装置。
【請求項２８】
前記専用識別子が、前記第2の基地局によって前記ユーザデバイスに割り当てられるプリアンブル署名をさらに含む、請求項21に記載の装置。
【請求項２９】
決定するための前記手段が、前記第1の基地局がいかなるユーザデバイスにも前記プリアンブル署名を割り当てていないことに基づいて、ローカルセル識別情報衝突があると決定するための手段を含む、請求項28に記載の装置。
【請求項３０】
決定するための前記手段が、前記第1の基地局がその制御下のユーザデバイスに前記プリアンブル署名を割り当てたこと、および前記プリアンブル署名がアップリンクデータなしで予期しないときに受信されることに基づいて、ローカルセル識別情報衝突があると決定するための手段を含む、請求項28に記載の装置。
【請求項３１】
少なくとも1つのプロセッサによって実行されるとき、前記少なくとも1つのプロセッサに、基地局によってローカルセル識別子衝突を検出するための動作を行わせるコードを含む非一時的コンピュータ可読媒体であって、
第1の基地局でユーザデバイスから、第2の基地局と関連付けられた専用識別子を受信するためのコードであって、前記専用識別子が、前記第2の基地局と関連付けられたユーザデバイス識別子および前記第2の基地局と関連付けられたローカルセル識別子を含む、または他の方法でこれらにマップする、コードと、
前記第1の基地局において、前記専用識別子に基づいて前記第1の基地局と前記第2の基地局との間にローカルセル識別子衝突があると決定するためのコードと
を含む、非一時的コンピュータ可読媒体。
【請求項３２】
前記ユーザデバイス識別子が、セル無線ネットワーク一時識別子(c-RNTI)を含み、前記ローカルセル識別子が、物理セル識別子(PCI)を含む、請求項31に記載の非一時的コンピュータ可読媒体。
【請求項３３】
決定するための前記コードが、受信した前記PCIが前記第1の基地局の前記PCIに一致すること、および前記c-RNTIが前記第1の基地局によってユーザデバイスに割り当てられたいかなるc-RNTIにも一致しないことに基づいて、ローカルセル識別情報衝突があると決定するためのコードを含む、請求項32に記載の非一時的コンピュータ可読媒体。
【請求項３４】
前記専用識別子が、shortMAC-Iをさらに含む、請求項32に記載の非一時的コンピュータ可読媒体。
【請求項３５】
決定するための前記コードが、受信した前記PCIが前記第1の基地局の前記PCIと一致すること、および前記c-RNTIが前記第1の基地局によって少なくとも1つのユーザデバイスに割り当てられたc-RNTIに一致すること、および前記shortMAC-Iが前記第1の基地局によって前記一致するc-RNTIを割り当てられた同じユーザデバイスの現在のshortMAC-Iに一致しないことに基づいて、ローカルセル識別子衝突があると決定するためのコードを含む、請求項34に記載の非一時的コンピュータ可読媒体。
【請求項３６】
前記c-RNTI、PCI、およびshortMAC-I識別子が、再接続メッセージにおいて受信される、請求項34に記載の非一時的コンピュータ可読媒体。
【請求項３７】
前記専用識別子が、前記第2の基地局と関連付けられた物理セル識別子(PCI)にマップするグローバルセル識別子(GCI)を含む、請求項31に記載の非一時的コンピュータ可読媒体。
【請求項３８】
前記専用識別子が、前記第2の基地局によって前記ユーザデバイスに割り当てられるプリアンブル署名をさらに含む、請求項31に記載の非一時的コンピュータ可読媒体。
【請求項３９】
決定するための前記コードが、前記第1の基地局がいかなるユーザデバイスにも前記プリアンブル署名を割り当てていないことに基づいて、ローカルセル識別情報衝突があると決定するためのコードを含む、請求項38に記載の非一時的コンピュータ可読媒体。
【請求項４０】
決定するための前記コードが、前記第1の基地局がその制御下のユーザデバイスに前記プリアンブル署名を割り当てたこと、および前記プリアンブル署名がアップリンクデータなしで予期しないときに受信されることに基づいて、ローカルセル識別情報衝突があると決定するためのコードを含む、請求項38に記載の非一時的コンピュータ可読媒体。
【発明の詳細な説明】
【技術分野】
【０００１】
本開示の態様は、概して電気通信に関し、より詳細には、セル識別衝突検出などに関する。
【背景技術】
【０００２】
ワイヤレス通信システムが広く配備され、音声、データなど様々なタイプの通信を提供している。典型的なワイヤレス通信システムは、利用可能なシステムリソース(たとえば帯域幅、送信電力など)を共有することによって複数のユーザとの通信をサポートすることができる多元接続システムである。このような多元接続システムの例には、符号分割多元接続(CDMA)システム、時分割多元接続(TDMA)システム、周波数分割多元接続(FDMA)システム、直交周波数分割多元接続(OFDMA)システムなどが含まれる。これらのシステムは、多くの場合、第3世代パートナーシッププロジェクト(3GPP)、3GPPロングタームエボリューション(LTE)、ウルトラモバイルブロードバンド(UMB)、エボリューションデータ最適化(EV-DO:evolution data optimized)などの仕様に準拠して配備される。
【０００３】
セルラーネットワークでは、マクロスケール基地局(または、マクロNodeB(MNB))が、ある地理的エリアにわたって多数のユーザに接続性およびカバレッジを提供する。この地理的領域にわたって良好なカバレッジを提供するように、マクロネットワーク配備が注意深く計画され、設計され、実施される。しかしながら、このような注意深い計画さえも、特に屋内環境ではフェージング、マルチパス、シャドーイングなどのチャネル特性に十分に対応することができない。したがって屋内のユーザは、多くの場合カバレッジ問題(たとえば、通話の停止および品質悪化)に直面し、ユーザ体験が好ましくないものとなる。
【０００４】
住宅およびオフィスビル用などの屋内のセルラーカバレッジを拡大するために、追加の小カバレッジの、一般的には低電力基地局が、最近になって従来のマクロネットワークを補うように配備され始め、モバイルデバイスのための堅牢なワイヤレスカバレッジを提供している。これらの小カバレッジ基地局は、一般的にホームNodeBまたはホームeNB(集合的にH(e)NB)、フェムトノード、フェムトセル、フェムトセル基地局、ピコノード、マイクロノードなどと呼ばれ、容量の増大、豊かなユーザ体験、屋内または他の特定の地理的カバレッジなどのために配備される。このような小カバレッジ基地局は、たとえばデジタル加入者線(DSL)ルータまたはケーブルモデムを介して、インターネットおよびモバイル事業者のネットワークに接続されることが可能である。
【０００５】
しかしながら、多数の小カバレッジ基地局を無計画に配備することは、いくつかの点で困難なものとなり得る。たとえばマクロネットワークでは各マクロ基地局(またはその各セクタもしくはセル)は、グローバル識別子(たとえば、グローバルセル識別子(GCI)、セクタ識別子(SectorID)、アクセスノード識別子(ANID)、または他のタイプの識別子)だけでなく、ローカル識別子(たとえば、物理セル識別子(PCI)、パイロット擬似乱数(PilotPN)、または他のタイプの識別子)もまた割り当てられる。ローカル識別子は、その限られた地理的到達範囲のためにより少ないビットを使用してよく、したがって物理層チャネルを変調する際の使用により適している。このように、ユーザデバイスは、ユーザデバイスの付近のセルを識別するために、様々なローカル識別子に対応するパイロット信号などの波形を効率的に探し、それらの伝送を復調することができる。しかしながら同じ理由から、ローカル識別子のために割り当てられる番号空間は、比較的限られている。さらに、識別子競合(たとえば識別子衝突および/または識別子混同)を回避するために、同じローカル識別子は、互いに比較的近い基地局によって使用されないことをネットワーク事業者が保証することが望ましい。
【先行技術文献】
【非特許文献】
【０００６】
【非特許文献１】3GPP TS 25.211セクション5.2.2.1.2、「RACH preamble part」
【発明の概要】
【発明が解決しようとする課題】
【０００７】
このことは従来の計画されたネットワークで実現可能であるかもしれないが、多くの小カバレッジ基地局を使用するネットワークなどの無計画なまたはアドホックネットワークでは実現可能ではないおそれがある。このようなネットワークでは、ネットワーク事業者または顧客は、多くの場合、どのローカル識別子がネットワークにおいて識別子競合を引き起こすかを知らずに小規模の基地局を配備する。したがって、是正措置をとることができるように、ワイヤレスネットワークにおける識別子競合を検出するための効果的な技法が必要である。
【課題を解決するための手段】
【０００８】
本発明の例示的実施形態は、ワイヤレスネットワークにおいて識別子競合を検出するためのシステムおよび方法を対象とする。
【０００９】
いくつかの実施形態では、基地局によってローカルセル識別子衝突を検出するための方法が提供される。この方法は、たとえば、第1の基地局でユーザデバイスから、第2の基地局と関連付けられた専用識別子を受信するステップであって、専用識別子が第2の基地局と関連付けられたユーザデバイス識別子および第2の基地局と関連付けられたローカルセル識別子を含む、または他の方法でこれらにマップする、ステップと、第1の基地局で、専用識別子に基づいて第1の基地局と第2の基地局との間にローカルセル識別子衝突があると決定するステップとを含むことができる。
【００１０】
他の実施形態では、基地局によってローカルセル識別子衝突を検出するための装置が提供される。この装置は、たとえば、第1の基地局でユーザデバイスから、第2の基地局と関連付けられた専用識別子を受信し、専用識別子が第2の基地局と関連付けられたユーザデバイス識別子および第2の基地局と関連付けられたローカルセル識別子を含む、または他の方法でこれらにマップする、ならびに第1の基地局で、専用識別子に基づいて第1の基地局と第2の基地局との間にローカルセル識別子衝突があると決定するように構成された、少なくとも1つのプロセッサを含むことができる。したがって装置は、たとえば少なくとも1つのプロセッサに結合されたメモリをも含むことができる。
【００１１】
さらに他の実施形態では、基地局によってローカルセル識別子衝突を検出するための別の装置が提供される。この装置は、たとえば、第1の基地局でユーザデバイスから、第2の基地局と関連付けられた専用識別子を受信するための手段であって、専用識別子が第2の基地局と関連付けられたユーザデバイス識別子および第2の基地局と関連付けられたローカルセル識別子を含む、または他の方法でこれらにマップする、手段と、第1の基地局で、専用識別子に基づいて第1の基地局と第2の基地局との間にローカルセル識別子衝突があると決定するための手段とを含むことができる。
【００１２】
さらに他の実施形態では、少なくとも1つのプロセッサによって実行されるとき、少なくとも1つのプロセッサに、基地局によってローカルセル識別子衝突を検出するための動作を行わせるコードを含むコンピュータ可読媒体が提供される。このコンピュータ可読媒体は、たとえば、第1の基地局でユーザデバイスから、第2の基地局と関連付けられた専用識別子を受信するためのコードであって、専用識別子が第2の基地局と関連付けられたユーザデバイス識別子および第2の基地局と関連付けられたローカルセル識別子を含む、または他の方法でこれらにマップする、コードと、第1の基地局で、専用識別子に基づいて第1の基地局と第2の基地局との間にローカルセル識別子衝突があると決定するためのコードとを含むことができる。
【００１３】
添付の図面は、本発明の実施形態の説明に役立つように提示し、単に実施形態の例示のために提供するものであり、これを限定するものではない。
【図面の簡単な説明】
【００１４】
【図１】複数のアクセス通信の原理を説明する例示的ワイヤレス通信ネットワークを示す図である。
【図２】マクロセルと併せてフェムトセルが配備された例示的混合通信ネットワーク環境を示す図である。
【図３】第2の基地局と関連付けられた専用識別子に基づいて第1の基地局によってローカルセル識別子衝突を検出するための例示的方法を示す図である。
【図４】本明細書に記載する実施形態の1つまたは複数によりローカルセル識別子衝突の検出を行うように構成された基地局装置の例を示す図である。
【発明を実施するための形態】
【００１５】
本発明の特定の実施形態に向けた次の説明および関連図面において、本発明の態様を開示する。「本発明の実施形態」という用語は、本発明のすべての実施形態が、説明する特徴、利点、または動作のモードを含むことを求めず、本発明の範囲を逸脱することなく代替の実施形態が考案されることが可能である。さらに、本発明の関する詳細をあいまいにしないために、本発明の周知の要素については詳しく説明しないことがある、またはこれを省略することがある。
【００１６】
本明細書で使用される用語は、単に特定の実施形態を説明するためであって、本発明のすべての実施形態を限定することを意図されていない。本明細書で使用される単数形、「a」、「an」、および「the」は、文脈上明らかに他の意味を示す場合を除いて、複数形も含むものとする。「備える」、「備えている」、「含む」、および/または「含んでいる」という用語は、本明細書で使用されるとき、明示された特徴、完全体、ステップ、動作、要素、および/または構成要素の存在を明記するが、1つまたは複数の他の特徴、完全体、ステップ、動作、要素、構成要素、および/またはそのグループの存在または追加を排除しないことを、さらに理解されるであろう。
【００１７】
本明細書に記載する技法は、マクロスケールカバレッジ(たとえば、一般的にマクロセルネットワークと呼ばれる3Gネットワークまたは4Gネットワークなどの大きいエリアのセルラーネットワーク)と、より小さいスケールのカバレッジ(たとえば、住宅ベースのまたは建物ベースのネットワーク環境)とを含んだネットワークにおいて使用されることが可能である。ユーザデバイスがこのようなネットワークの中を移動するにつれて、ユーザデバイスはある場所ではマクロカバレッジを提供する基地局によってサービングされ、他の場所ではより小さいスケールのカバレッジを提供する基地局によってサービングされることが可能である。上記の背景で簡単に説明したように、より小さいカバレッジの基地局は、容量を増大させる、室内のカバレッジを提供する、および場合によってはユーザ体験をより堅牢にするための様々なサービスを提供するために、使用されることが可能である。本明細書の説明では、比較的大きいエリアにわたるカバレッジを提供する基地局が、通常、マクロ基地局と呼ばれ、比較的小さいエリア(たとえば、住宅)にわたるカバレッジを提供する基地局が、通常、フェムト基地局と呼ばれる。マクロエリアよりは小さいがフェムトエリアよりは大きいエリアにわたるカバレッジを提供する中間の基地局が、通常、ピコ基地局(たとえば、商業ビル内のカバレッジを提供する)と呼ばれる。しかしながら便宜上、本明細書の開示は、ピコ基地局がより大きいカバレッジエリアに同じまたは同様の機能を提供することができるという理解の下で、小さいカバレッジの基地局に関連する様々な機能をフェムト基地局の文脈で説明することがある。マクロ基地局、フェムト基地局、またはピコ基地局と関連付けられたセルが、それぞれマクロセル、フェムトセル、またはピコセルと呼ばれることがある。一部のシステムの実行においては、各セルがさらに1つまたは複数のセクタと関連付けられる(たとえば、セクタに分けられる)ことがある。
【００１８】
様々な応用において、マクロ基地局、フェムト基地局、ピコ基地局、ユーザデバイス、および他のデバイスに言及するために他の専門用語が使用されることがあることが理解され、また、このような用語の使用が、本明細書において説明または支援される実施形態に関して特定の技術を思い起こすまたは排除することを一般的に意図しないことは理解される。たとえば、マクロ基地局が、マクロノード、アクセスノード、アクセスポイント、NodeB、発展型NodeB(eNodeB)、マクロセルなどとして構成される、あるいは呼ばれることがある。フェムト基地局が、フェムトノード、ホームNodeB、ホームeNodeB、アクセスポイント基地局、フェムトセルなどとして構成される、あるいは呼ばれることがある。ユーザデバイスが、デバイス、ユーザ機器(UE)、加入者ユニット、加入者局、移動局、モバイルデバイス、アクセス端末などとして構成される、あるいは呼ばれることがある。便宜上、本明細書の開示は、説明の特定の文脈で別段の指示がない限り、すべてのワイヤレスシステムにおける対応する技術および専門用語を含めることを意図されている総称的な「基地局」および「ユーザデバイス」の文脈で様々な機能を説明することが多い。
【００１９】
図1は、複数のアクセス通信の原理を説明する例示的ワイヤレス通信ネットワークを示す。例示のワイヤレス通信ネットワーク100は、複数のユーザ間の通信をサポートするように構成される。示されるように、ワイヤレス通信ネットワーク100は、例示のセル102A〜セル102Gなどの1つまたは複数のセル102に分けられることが可能である。セル102A〜セル102G中の通信カバレッジが、例示の基地局104A〜基地局104Gなどの1つまたは複数の基地局104によって提供されることが可能である。このように、各基地局104は、対応するセル102に通信カバレッジを提供することができる。基地局104は、例示のユーザデバイス106A〜ユーザデバイス106Lなどの複数のユーザデバイス106と対話することができる。
【００２０】
各ユーザデバイス106は、フォワードリンク(FL)および/またはリバースリンク(RL)上で基地局104の1つまたは複数と通信することができる。一般には、FLが基地局からユーザデバイスへの通信リンクであり、RLがユーザデバイスから基地局への通信リンクである。基地局104は、これらが互いとおよび/または他のネットワーク機器と通信できるようにする適切な有線インターフェースまたはワイヤレスインターフェースによって相互に接続されることが可能である。したがって、各ユーザデバイス106もまた、基地局104の1つまたは複数を介して別のユーザデバイス106と通信することができる。たとえば、ユーザデバイス106Jは、次の方法でユーザデバイス106Hと通信することができる:ユーザデバイス106Jは基地局104Dと通信することができ、次に基地局104Dは基地局104Bと通信することができ、次に基地局104Bはユーザデバイス106Hと通信することができ、ユーザデバイス106Jとユーザデバイス106Hとの間で通信を確立することができる。
【００２１】
ワイヤレス通信ネットワーク100は、広大な地理的領域にわたってサービスを提供することができる。たとえば、セル102A〜セル102Gは、近隣または地方での数平方マイル内の少数のブロックに広がることがある。上記のように、一部のシステムでは、各セルが、1つまたは複数のセクタ(図示せず)にさらに分けられることがある。さらに、基地局104は、それらのそれぞれのカバレッジエリア内のユーザデバイス106アクセスを、インターネットまたは別のセルラーネットワークなどの他の通信ネットワークに提供することができる。さらに上述のように、各ユーザデバイス106が、通信ネットワークを通じて音声またはデータを送受信するためにユーザによって使用されるワイヤレス通信デバイス(たとえば、携帯電話、ルータ、パーソナルコンピュータ、サーバなど)であってもよく、あるいはアクセス端末(AT)、移動局(MS)、アクセス端末などと呼ばれることがある。図1に示す例では、ユーザデバイス106A、ユーザデバイス106H、およびユーザデバイス106Jは、ルータを含み、ユーザデバイス106B〜ユーザデバイス106G、ユーザデバイス106I、ユーザデバイス106K、およびユーザデバイス106Lは、携帯電話を含む。しかしながらやはりユーザデバイス106A〜ユーザデバイス106Lのそれぞれが、いかなる好適な通信デバイスを含むこともできる。
【００２２】
図2は、マクロセルと併せてフェムトセルが配備された例示的混合通信ネットワーク環境を示す。ここではマクロ基地局205が、マクロエリア230内の例示のユーザデバイス220、ユーザデバイス221、およびユーザデバイス222などの1つまたは複数のユーザデバイスに通信カバレッジを提供することができ、フェムト基地局210およびフェムト基地局212が、異なるカバレッジエリア間の様々な重なりの程度で、それぞれのフェムトエリア215およびフェムトエリア217内に自身の通信カバレッジを提供することができる。この例では、例示のユーザデバイス222などの少なくともいくつかのユーザデバイスが、マクロ環境(たとえば、マクロエリア)とより小さいスケールのネットワーク環境(たとえば、住宅のフェムトエリア、ピコエリアなど)の両方で動作することができてもよい。
【００２３】
図示した接続では、ユーザデバイス220は、ワイヤレスリンクによりマクロ基地局205に、メッセージを生成し、送信することができ、メッセージは、様々なタイプの通信(たとえば、音声サービス、データサービス、マルチメディアサービスなど)に関連する情報を含む。ユーザデバイス222は、ワイヤレスリンクによりフェムト基地局210と同様に通信することができ、ユーザデバイス221は、ワイヤレスリンクを介してフェムト基地局212と同様に通信することができる。マクロ基地局205は、有線リンクにより、またはワイヤレスリンクにより、対応するワイドエリアまたは外部ネットワーク240(たとえば、インターネット)と通信することもでき、一方フェムト基地局210およびフェムト基地局212は、自身の有線リンクまたはワイヤレスリンクにより、ネットワーク240と同様に通信することもできる。たとえば、フェムト基地局210およびフェムト基地局212は、たとえば、デジタル加入者線(DSL、たとえば非対称DSL(ADSL)、高データレートDSL(HDSL)、超高速DSL(VDSL)など)、IPトラフィックを搬送するTVケーブル、電力線ブロードバンド(BPL:broadband over power line)接続、または他のリンクなどのインターネットプロトコル(IP)接続を介してネットワーク240と通信することができる。
【００２４】
ネットワーク240は、たとえば次のネットワーク：インターネット、イントラネット、ローカルエリアネットワーク(LAN)、またはワイドエリアネットワーク(WAN)を含むいかなるタイプの電気的に接続されたコンピュータおよび/またはデバイス群も含むことができる。さらに、ネットワークへの接続は、たとえばリモートモデム、イーサネット(登録商標) (IEEE 802.3)、トークンリング(IEEE 802.5)、ファイバ分散データリンクインターフェース(FDDI:Fiber Distributed Datalink Interface)非同期転送モード(ATM:Asynchronous Transfer Mode)、ワイヤレスイーサネット(登録商標) (IEEE 802.11)、ブルートゥース(IEEE 802.15.1)、または他の接続であってもよい。本明細書で使用するネットワーク240は、公衆インターネット、インターネット内のプライベートネットワーク、インターネット内のセキュアネットワーク、プライベートネットワーク、公衆ネットワーク、付加価値ネットワーク、イントラネットなどのネットワークの変形を含む。いくつかのシステムでは、ネットワーク240は、仮想プライベートネットワーク(VPN)を含むこともできる。
【００２５】
したがって、マクロ基地局205ならびに/またはフェムト基地局210およびフェムト基地局212のどちらか一方もしくは両方が、複数のデバイスまたは方法のいずれかを使用してネットワーク240に接続されることが可能であることは理解されよう。こうした接続は、ネットワークの「バックボーン」または「バックホール」と呼ばれることがある。無線ネットワークコントローラ(RNC)、基地局コントローラ(BSC)などのデバイス、または別のデバイスもしくはシステム(図示せず)は、2つ以上のマクロ基地局、ピコ基地局、および/またはフェムト基地局間の通信を管理するように使用されることが可能である。このように、たとえばユーザデバイス222の現在の位置に応じて、ユーザデバイス222は、マクロ基地局205によって、またはフェムト基地局210によって、通信ネットワーク240にアクセスすることができる。
【００２６】
識別のために、ネットワーク200内の各基地局は、所与の地理領域において一意であるよう意図されたローカルセル識別子(たとえば、物理セル識別子(PCI)、パイロット擬似乱数(PilotPN)、または他のタイプの識別子)を割り当てられる、または選択することが可能である。ユーザデバイスは、基地局のローカルセル識別子に従って基地局から送信されるビーコンまたはパイロット信号を検出することによって各基地局を一意に識別しようと試みることができる。たとえば、ユーザデバイス221は、フェムト基地局210およびフェムト基地局212の各々からの、そのそれぞれのローカルセル識別子に従って符号化されたパイロット信号を受信し、それに従って2つの基地局を見分けようと試みることができる。いくつかの実施形態では、ユーザデバイス221は、受信したパイロット信号をさらに使用して、パイロット強度測定レポート(PSMR)、または信号品質の他のインジケータを生成することができる。
【００２７】
上記の背景技術で説明したように、その限られた地理的到達範囲のために、ローカルセル識別子は、比較的少数のビットを使用してよく、さらに所与のエリアにおいて原則的に(ローカルで)一意とすることができ、それによってたとえばより多くのグローバル識別子(たとえば、グローバルセル識別子(GCI)、セクタ識別子(SectorID)、アクセス基地局識別子(ANID)、または他のタイプの識別子)と比べてオーバヘッドシグナリング/処理の少ないより効率的な識別を容易にする。しかしながら、同じ理由から、所与のシステムで定義されるローカルセル識別子の数量は限られている(たとえば、一部のシステムでは約百から数百)。一方、図2のフェムト基地局210およびフェムト基地局212などのフェムト基地局は、家庭、共同住宅、オフィスビルなどの至る所で、ローカルセル識別子の配布を調整するようにマクロネットワークで従来使用されている中央計画なしで個々の顧客によって、可能性として多数配備され得る。したがって、上記の背景技術でさらに説明したように、フェムトネットワークならびに混合ネットワークにおける基地局間の識別子競合、およびそれに関連する問題は、配備および基地局識別がより厳密に制御される従来のマクロネットワークにおけるよりも広がり、より弊害をもたらす可能性がある。
【００２８】
識別子「衝突」と呼ばれる、1つの特定のタイプの競合使用では、互いに極めて接近している2つの基地局は、その領域のユーザデバイスが同じローカルセル識別子を含んだ信号(たとえば、パイロット信号)を2つの、または異なる基地局から同時に受信することを引き起こすようなやり方で、同じローカルセル識別子を誤って使用する可能性がある。一般に、識別子衝突は、所与の基地局のローカルセル識別子がその基地局のカバレッジエリア内で一意ではないときはいつでも発生する可能性がある。このシナリオは、たとえば図2では、フェムト基地局210およびフェムト基地局212のそれぞれのフェムトカバレッジエリア215およびフェムトカバレッジエリア217が重なって示されている。フェムト基地局210とフェムト基地局212の両方が同じローカルセル識別子を割り当てられる、または選択する場合、ユーザデバイス(たとえば、図2のユーザデバイス221)は、フェムト基地局210およびフェムト基地局212は実際には別個の異なるエンティティであるという事実にもかかわらず、フェムト基地局210とフェムト基地局212の両方から同じ識別子で符号化された信号を同時に受信する可能性がある。
【００２９】
フェムト基地局210とフェムト基地局212との間の結果として生じる識別子衝突は、いくつかの問題につながる可能性がある。たとえば、ユーザデバイス221は、フェムト基地局210またはフェムト基地局212のどちらかからのメッセージを正しく復号することができない可能性がある(たとえば、ユーザデバイス221が同時に受信した信号から推定するチャネル状態が、フェムト基地局210またはフェムト基地局212のどちらかと関連付けられたチャネル上の実際の状態に対応しないことになるからである)。さらにユーザデバイス221は、(たとえば、ユーザデバイス221が監視しているローカルセル識別子と関連付けられたパイロット信号強度が、移行したにもかかわらず比較的高いままである可能性があるため)フェムト基地局210のフェムトカバレッジエリア215からフェムト基地局212のフェムトカバレッジエリア217にいつ移動するかを検出することができない可能性があり、したがって新しいフェムト基地局212への登録に失敗する可能性がある。これは、シグナリング停止、ページ損失(missed pages)、通話の切断(dropped calls)などにつながる可能性がある。
【００３０】
混合ネットワークにおける識別子競合に対処するいくつかの従来の手法は、利用できる識別子空間を、オーバーレイ(たとえば、マクロ)基地局とアンダーレイ(たとえば、フェムト)基地局のために、相互排他的部分に分けようと試みる。しかしながら、このタイプのパーティション分割により、オーバーレイ基地局に割り当てられる識別子がそれらの間でよりよく計画されることが可能となる一方で、アンダーレイ基地局に割り当てられる識別子の少なくとも一部は、依然として自己設定される(self-configured)(たとえば、各アンダーレイ基地局によって自律的に設定される)可能性が高い。識別子競合に対処する他の従来の手法は、ネットワーク技術者が所与の近隣区域(neighborhood)を定期的にスキャンすることにより、隣接セルを手動でプロビジョニングおよび管理すること、ならびに/または様々なユーザデバイスによってもしくは基地局自体によってそのネットワークリスニングモジュール(NLM)を通じて提供される検出されたセルの測定に基づいて概念上の隣接関係テーブル(NRT)を管理する基地局の自動隣接関係(ANR)機能によって、隣接セルを自動的にプロビジョニングし、管理することを含む。こうした従来の手法のそれぞれが、その独自の欠点および限界を有する。
【００３１】
したがって、是正措置をとることができるように、ワイヤレスネットワークにおける識別子競合の改善された、代替的な、および/または補助的な検出のための様々なシステム、方法、および技法が本明細書において提供される。たとえば、以下により詳細に説明するように、正常な動作状況の下において特異なまたは通常から外れたユーザデバイスの特定の挙動に基づいて、ローカルセル識別子衝突を検出するように、本明細書において提供される技法により、基地局が構成されてもよい。
【００３２】
図3は、第2の基地局と関連付けられた専用識別子に基づいて、第1の基地局によってローカルセル識別子衝突を検出するための例示的方法を示す。この方法は、たとえば、フェムト基地局210、フェムト基地局212、および/または一部のシステムではマクロ基地局205を含む、図2に示す基地局のいずれかによって行われることが可能である。
【００３３】
図のように、手続き300は、第1の基地局がユーザデバイスから、(i)第2の基地局と関連付けられたユーザデバイス識別子と、(ii)第2の基地局と関連付けられたローカルセル識別子とを含んだ、またはこれらにマップする専用識別子を受信することから始まる(ブロック310)。RRCConnectionReestablishmentRequestメッセージなどの再接続メッセージが、基地局によって受信されるメッセージであって、このような専用識別子を含む可能性があるメッセージの一例である。たとえば、図2を参照すると、フェムト基地局212と通信しているユーザデバイス221が、フェムト基地局212とフェムト基地局210との境界を横切るとき、予期せずにフェムト基地局212と同期しなくなる可能性がある(たとえば、フェムト基地局212およびフェムト基地局210が同じローカルセル識別子を割り当てられた、またはこれを選択した場合、ユーザデバイス221での正確なチャネル推定およびメッセージ復号が損なわれ、同期されない状態に至る可能性がある)。同期されていない状態により、ユーザデバイス221は無線リンク失敗(RLF:Radio Link Failure)を宣言し、RRCConnectionReestablishmentRequestメッセージを生成し得る。このシナリオでは、RRCConnectionReestablishmentRequestメッセージは、障害が発生したサービングセルの役割を果たしているフェムト基地局212のローカルセル識別子(たとえば、PCI)、同じフェムト基地局212に関係するユーザデバイス221と関連付けられたユーザデバイス識別子(たとえば、フェムト基地局212によってユーザデバイス221に割り当てられたセル無線ネットワーク一時識別子(c-RNTI:Cell Radio Network Temporary Identifier))、ならびに他の情報(たとえば、用いることで再確立が要求されるフェムト基地局212の識別情報を使用して計算される、完全性保護のためのショートメッセージ認証コード(shortMAC-I:short message authentication code for integrity protection))を含むことができる。
【００３４】
基地局によって受信されるメッセージであって、上記で特定したタイプの専用識別子を含むことが可能であるメッセージの別の例は、RLFレポートメッセージである。このようなメッセージは、再確立が失敗し、ユーザデバイスが通常の接続確立手続きに戻った後、送信されてもよい。このとき、ユーザデバイスは、ユーザデバイスがRLFレポートを有し、基地局がRLFレポートを検索できることを基地局に示すことができる。RLFレポートは、ユーザデバイス識別子およびローカルセル識別子、ならびにRLFレポートがいつログに記録されたかを識別する助けとなる時間情報を含んでいる。さらに、専用識別子は、一部の例では、ローカルセル識別子を直接含むのではなく、第2の基地局と関連付けられたローカルセル識別子(たとえば、PCI)にマップするグローバルセル識別子(たとえば、GCI)を含むことができる。
【００３５】
図3に戻ると、第1の基地局は、この専用識別子を使用して、自身と第2の基地局(その識別情報は不明であってもよい)との間でローカルセル識別子衝突があると決定することができる(ブロック330)。たとえば、第1の基地局は、専用識別子が自身のローカルセル識別子をリストするが、ある競合情報をも含むことを通知し得る。上記のシナリオを継続すると、フェムト基地局210は、RRCConnectionReestablishmentRequestメッセージで受信されたPCIが自身のPCIに一致するが、c-RNTIはフェムト基地局210がサービング中のいかなるユーザデバイス(たとえば、ユーザデバイス222)に割り当てたc-RNTIのいずれにも一致しないことを検出することができる。したがって、フェムト基地局210は、RRCConnectionReestablishmentRequestメッセージは実際には自身と同じPCIを使用する別の隣接基地局(すなわち、この例ではフェムト基地局212、しかしその識別情報はフェムト基地局210に不明であってもよい)に対して意図されたものであると決定することができる。このように、フェムト基地局210は、ユーザデバイス221から受信される専用識別子情報に基づいて、それ自体とその隣接基地局の1つとの間にローカルセル識別子衝突があることを認識することができる。
【００３６】
しかしながらいくつかの例では、ユーザデバイス識別子が、第1の基地局がサービング中のユーザデバイスに割り当てたユーザデバイス識別子の1つに一致したとしても、依然としてローカルセル識別子衝突が存在することがある。これはたとえば、考えられるユーザデバイス識別子の番号に限りがあるために、単に偶然の一致によって発生することがある。再び上記のシナリオに戻ると、フェムト基地局210は、RRCConnectionReestablishmentRequestメッセージで受信されたPCIが自身のPCIに一致すること、およびc-RNTIもまたフェムト基地局210がユーザデバイス(たとえば、ユーザデバイス222)に割り当てたc-RNTIの1つに一致することを検出する可能性がある。一致する識別子は、実際にローカルセル識別子衝突が全くないことを意味する可能性があるが、これは決定的なもの(dispositive)ではない。
【００３７】
この場合、第1の基地局は、専用識別子に含まれた二次的な情報を調べて、それにもかかわらずローカルセル識別子衝突を示唆する競合情報があるかどうかを決定することができる(任意選択のブロック330)。たとえば、再び上記のシナリオに戻ると、RRCConnectionReestablishmentRequestメッセージは、再確立が要求されるのに用いられる基地局(たとえば、この例ではフェムト基地局212)の識別情報を使用して計算された完全性保護のためのshortMAC-I認証コードを含むこともある。受信したPCIが受信中のフェムト基地局210のPCIに一致し、受信したc-RNTIが、受信中のフェムト基地局210がユーザデバイスに割り当てたc-RNTIに一致する場合、受信中のフェムト基地局210は、それにもかかわらず、受信したshortMAC-Iが、一致するc-RNTIを割り当てた同じユーザデバイスの現在のshortMAC-Iに一致しないとき、ローカルセル識別子衝突があると決定することができる。ここでも同様に、フェムト基地局210は、ユーザデバイス221から受信される専用識別子情報に基づいて、それ自体とその隣接基地局の1つとの間にローカルセル識別子衝突があることを認識することができる。
【００３８】
他の実施形態では、専用識別子はさらに、または代替的に、第2の基地局によってユーザデバイスに割り当てられたプリアンブル「署名」を含むことができる。プリアンブル署名は、一般的に、システムアクセスのために送信される初期シグナリングを指し、アクセス署名、アクセスプローブ、ランダムアクセスプローブ、署名シーケンス、ランダムアクセスチャネル(RACH:Random Access Channel)署名シーケンス、物理RACH(PRACH)署名シーケンスなどと呼ばれることもある。WCDMA(登録商標)におけるPRACHプリアンブル署名は、たとえば公に入手可能である3GPP TS 25.211セクション5.2.2.1.2に、「RACH preamble part」という名称で記載されている。多くのシステムでは、接続モードのユーザデバイス(たとえば、接続されたDRX)が、その後の送信に使用するためのコンテンションフリー署名を割り当てられるように、署名空間は、コンテンションベースのサブセットおよびコンテンションフリーのサブセットに分割される。所与のユーザデバイスによる誤った、または予期しない署名であるように見えるものの使用は、ローカルセル識別情報衝突の存在を示す可能性があり、それにより第1の基地局は、第2の基地局によって割り当てられたプリアンブル署名を使用するユーザデバイスによって接触される。
【００３９】
したがって、ローカルセル識別情報衝突があると決定することは、いくつかの実施形態では、第1の基地局が受信したプリアンブル署名をいかなるユーザデバイスにも割り当てていないことにさらに基づくことが可能である。たとえば、図2を再び参照して、フェムト基地局210は、フェムト基地局210が自身のユーザデバイスの1つ(たとえば、ユーザデバイス222)に割り当てた(1つまたは複数の)いかなるプリアンブル署名にも一致しないプリアンブル署名をユーザデバイス221から受信することがある。このように、フェムト基地局210は、自身と隣接基地局の1つ(すなわち、受信したプリアンブルをユーザデバイス221に割り当てた基地局、この例ではフェムト基地局212)との間にローカルセル識別子衝突があることを認識することができる。
【００４０】
しかしながらいくつかの例では、受信したプリアンブル署名が、第1の基地局がそのユーザデバイスに割り当てたプリアンブル署名に一致したとしても、依然としてローカルセル識別子衝突が存在することがある。ここでも同様に、一致することは、実際にローカルセル識別子衝突が全くないことを意味する可能性があるが、これは決定的なものではない。この場合、第1の基地局は、やはり二次的な情報を調べて、ローカルセル識別子衝突を識別することができる。たとえば、第1の基地局は、予期されないとき(たとえば、受信されるプリアンブル署名を第1の基地局が割り当てたユーザデバイスには送信するアップリンクデータがないとき)にプリアンブル署名が受信される場合、それにもかかわらずローカルセル識別情報衝突があると決定することができる。上記の特定の例に戻ると、フェムト基地局210が所与のプリアンブル署名をユーザデバイス222に割り当てたが、ユーザデバイス222には送信するアップリンクデータがないときのアクセス要求でそのプリアンブル署名を予期せずに受信する場合、フェムト基地局210は、その近隣の別の基地局との間でローカルセル識別子衝突が発生したと決定することができる。すなわち、フェムト基地局210は、プリアンブル署名が実際には、別のユーザデバイス(たとえば、この例ではユーザデバイス221)から受信され、この別のユーザデバイスが、送信するアップリンクデータを有するものの異なる基地局(たとえば、フェムト基地局212)によってプリアンブル署名を割り当てられ、このユーザデバイスがローカルセル識別子衝突のためにその異なる基地局のカバレッジエリアの外を知らずに移動したと結論づけることができる。
【００４１】
図3に戻ると、ローカルセル識別子衝突が検出されるとき、第1の基地局は、必要に応じて、様々な実施形態により適切とみなされるように、ある追加の是正措置をとることができる(任意選択のブロック340)。たとえば、第1の基地局は、自身のローカルセル識別子を変更する、第2の基地局がそのローカルセル識別子を変更することができるように第2の基地局に接触する、中央計画エンティティ(たとえば、技術者)にローカルセル識別子の配備を調整するよう促す、その送信電力を変更するなどが可能である。
【００４２】
図3の例示的流れ図に開示するいくつかのステップは、本開示の範囲および趣旨を逸脱することなく、その順序を入れ替えることができることは、当業者に理解されよう。また、流れ図に示すステップは排他的ではなく、他のステップが含まれる可能性がある、または例示の流れ図のステップの1つもしくは複数が本開示の範囲および趣旨に影響を与えることなく省略される可能性があることは、当業者に理解されよう。
【００４３】
第2の基地局と関連付けられた専用識別子に基づいて第1の基地局によってローカルセル識別子衝突を検出するための方法は、通信デバイスとしてまたは通信デバイス内で使用するためのプロセッサもしくは同様のデバイスとして構成されたデバイスによって実行されることが可能である。たとえば、デバイスは、プロセッサ、ソフトウェア、ハードウェア、またはその組み合わせ(たとえば、ファームウェア)によって実行される機能を表す機能ブロックを含むことができ、ブロック310〜ブロック340に示すステップを行う、ならびに本明細書の関連する、または記載する動作を行うための1つまたは複数の電気構成要素を含むことができる。
【００４４】
図4は、上述の実施形態の1つまたは複数によりローカルセル識別子衝突検出を行うように構成された基地局装置の一例を示す。図のように、基地局装置401は、対応するTXデータプロセッサ410と、シンボル変調器420と、送信機ユニット(TMTR)430と、アンテナ440と、受信機ユニット(RCVR)450と、シンボル復調器460と、RXデータプロセッサ470と、構成情報プロセッサ480とを含み、1つまたは複数のユーザデバイス402と通信するために様々な動作を行う。基地局装置401は、1つまたは複数の汎用コントローラまたはプロセッサ(１つのコントローラ/プロセッサ482として示される)と、関連するデータまたは命令を格納するように構成されたメモリ484とを含むこともできる。バス486により併せてこれらのユニットは、通信に使用される1つまたは複数の適切な無線技術ならびに基地局装置401のための他の機能に従って処理を行うことができる。
【００４５】
様々な実施形態によれば、基地局装置401は、専用識別子に基づいて基地局装置401と第2の基地局との間にローカルセル識別子衝突があると決定するための衝突検出モジュール490をさらに含むことができる。図のように、衝突検出モジュール490は、図示したユーザデバイス識別子抽出モジュール492および/またはローカルセル識別子抽出モジュール494などの他の特別な目的のモジュールによって提供される情報に基づいて決定を行うことができる。一部の設計では、衝突検出モジュール490、ユーザデバイス識別子抽出モジュール492、またはローカルセル識別子抽出モジュール494の1つまたは複数の機能は、場合によってはメモリ484と併せて、基地局装置401の汎用コントローラ/プロセッサ482に直接組み込まれる、またはこれによって実行されることは理解されよう。
【００４６】
さらに、本明細書に開示する例に関連して説明した様々な例示的構成要素、論理ブロック、モジュール、回路、および/またはアルゴリズムステップは、電子ハードウェア、ファームウェア、コンピュータソフトウェア、またはその組み合わせとして実装されることが可能であることを、当業者には理解されよう。ハードウェア、ファームウェア、およびソフトウェアのこのような互換性をわかりやすく説明するために、様々な例示の構成要素、ブロック、モジュール、回路、および/またはアルゴリズムステップは、概してその機能に関して上述した。このような機能がハードウェア、ファームウェア、またはソフトウェアとして実装されるかは、特定の応用およびシステム全体に課される設計の制約によって決まる。当業者は、それぞれ特定の応用に対して、記載した機能を様々な方法で実装することができるが、このような実装の判断は、本開示の範囲または趣旨からの逸脱を引き起こすと解釈されるべきではない。
【００４７】
たとえばハードウェアによる実行については、処理ユニットは、1つまたは複数の特定用途向け集積回路(ASIC)、デジタル信号プロセッサ(DSP)、デジタル信号処理デバイス(DSPD)、プログラマブルロジックデバイス(PLD)、フィールドプログラマブルゲートアレイ(FPGA)、プロセッサ、コントローラ、マイクロコントローラ、マイクロプロセッサ、本明細書に記載する機能を実行するように設計された他の電子ユニット、またはその組み合わせの中に、実装することができる。ソフトウェアでは、実装は、そこに記載された関数を実行するモジュール(たとえば、手続き、関数など)を介したものとすることができる。ソフトウェアコードは、メモリユニットに格納され、プロセッサユニットによって実行されることが可能である。
【００４８】
さらに、本明細書に記載する様々な例示の流れ図、論理ブロック、モジュールおよび/またはアルゴリズムステップは、当技術分野で知られているいかなるコンピュータ可読媒体でも実行される、または当技術分野で知られているいかなるコンピュータプログラム製品にも実装される、コンピュータ可読命令として符号化されることも可能である。コンピュータ可読媒体は、コンピュータ記憶媒体と通信媒体の両方を含み、一方の場所からもう一方の場所へのコンピュータプログラムの転送を容易にするいかなる媒体も含む。記憶媒体は、コンピュータがアクセスすることができるいかなる入手可能な媒体であってもよい。一例としてであって、限定ではないが、このようなコンピュータ可読媒体は、RAM、ROM、EEPROM、CD-ROMもしくは他の光ディスク記憶装置、磁気ディスク記憶装置もしくは他の磁気記憶装置、または所望のプログラムコード手段を命令もしくはデータ構造の形態で搬送するもしくは格納するために使用することができ、コンピュータがアクセスすることができる他のいかなる媒体も含むことができる。
【００４９】
また、いかなる接続も、厳密にはコンピュータ可読媒体と呼ばれる。たとえば、ソフトウェアが、同軸ケーブル、光ファイバケーブル、ツイストペア、デジタル加入者線(DSL)、または赤外線、ラジオ波、およびマイクロ波などのワイヤレス技術を使用して、ウェブサイト、サーバ、または他のリモートソースから送信される場合、この同軸ケーブル、光ファイバケーブル、ツイストペア、DSL、または赤外線、ラジオ波、およびマイクロ波などのワイヤレス技術は、媒体の定義に含まれる。本明細書で使用するディスク(diskおよびdisc)は、コンパクトディスク(CD:compact disc)、レーザーディスク(登録商標) (laser disc)、光ディスク(optical disc)、デジタル多用途ディスク(DVD:digital versatile disc)、フロッピー(登録商標)ディスク(floppy disk)、およびブルーレイディスク(blu-ray disc)を含み、ディスク(disk)は通常データを磁気的に再生し、ディスク(disc)はレーザーを使用してデータを光学的に再生する。上記のものの組み合わせもまた、コンピュータ可読媒体の範囲内に含まれるべきである。
【００５０】
前述の説明は、当業者が本発明を作成するまたは利用することができるように提供される。しかしながら、これらの実施形態への様々な変更形態は当業者には容易に理解できるので、本発明は本明細書に開示する特定の表現、プロセスステップ、および材料に限定されないことは理解されよう。すなわち、本明細書において定義される一般的な原理は、本発明の趣旨または範囲を逸脱することなく、他の実施形態に適用することができる。
【符号の説明】
【００５１】
100  ワイヤレス通信ネットワーク
102  セル
104  基地局
106  ユーザデバイス
200  ネットワーク
205  マクロ基地局
210  フェムト基地局
212  フェムト基地局
215  フェムトエリア
217  フェムトエリア
220  ユーザデバイス
221  ユーザデバイス
222  ユーザデバイス
230  マクロエリア
240  ネットワーク
401  基地局装置
402  ユーザデバイス
410  TXデータプロセッサ
420  シンボル変調器
430  送信機ユニット
440  アンテナ
450  受信機ユニット
460  シンボル復調器
470  RXデータプロセッサ
480  プロセッサ
482  コントローラ/プロセッサ
484  メモリ
486  バス
490  衝突検出モジュール
492  ユーザデバイス識別子抽出モジュール
494  ローカルセル識別子抽出モジュール
【図１】
2016517209.tif 000003
【図２】
2016517209.tif 000004
【図３】
2016517209.tif 000005
【図４】
2016517209.tif 000006
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
基地局によってローカルセル識別子衝突を軽減するための方法であって、
第1の基地局でユーザデバイスから、再接続メッセージを受信するステップであって、前記再接続メッセージが、ユーザデバイス識別子およびローカルセル識別子を含む、ステップと、
前記第1の基地局において、前記ユーザデバイス識別子および前記ローカルセル識別子に基づいて前記第1の基地局と第2の基地局との間の潜在的なローカルセル識別子衝突を決定するステップと、
前記再接続メッセージに続き、無線リンク失敗(RLF)レポートの存在を示す接続確立要求を受信するステップと、
前記潜在的なローカルセル識別子衝突を決定すること、および前記接続確立要求を受信することに応答して、前記RLFレポートからグローバルセル識別子を検索するステップと、
前記RLFレポートの前記グローバルセル識別子と前記第1の基地局に関連付けられるグローバルセル識別子との間の不一致に基づき前記潜在的なローカルセル識別子衝突を確認するステップと、
前記第1の基地局によって、前記確認されたローカルセル識別子衝突に応答して、前記第1の基地局または前記第2の基地局の1つまたは複数の通信パラメータを変更する、または変更されるようにするステップと
を含む、方法。
【請求項２】
前記ユーザデバイス識別子が、セル無線ネットワーク一時識別子(c-RNTI)を含み、前記ローカルセル識別子が、物理セル識別子(PCI)を含む、請求項1に記載の方法。
【請求項３】
前記潜在的なローカルセル識別子衝突を決定するステップが、受信した前記PCIが前記第1の基地局の前記PCIに一致すること、および前記c-RNTIが前記第1の基地局によってユーザデバイスに割り当てられたいかなるc-RNTIにも一致しないことに基づく、請求項2に記載の方法。
【請求項４】
前記再接続メッセージが、shortMAC-Iをさらに含む、請求項2に記載の方法。
【請求項５】
前記潜在的なローカルセル識別子衝突を決定するステップが、受信した前記PCIが前記第1の基地局の前記PCIに一致すること、および前記c-RNTIが前記第1の基地局によって少なくとも1つのユーザデバイスに割り当てられたc-RNTIに一致すること、ならびに前記shortMAC-Iが前記第1の基地局によって前記一致するc-RNTIを割り当てられた同じユーザデバイスの現在のshortMAC-Iに一致しないことに基づく、請求項4に記載の方法。
【請求項６】
前記ユーザデバイスに割り当てられるプリアンブル署名を受信するステップさらに含む、請求項1に記載の方法。
【請求項７】
前記潜在的なローカルセル識別子衝突を決定するステップが、前記第1の基地局がいかなるユーザデバイスにも前記プリアンブル署名を割り当てていないことに基づく、請求項6に記載の方法。
【請求項８】
前記潜在的なローカルセル識別子衝突を決定するステップが、前記第1の基地局が前記第1の基地局の制御下のユーザデバイスに前記プリアンブル署名を割り当てたこと、および前記プリアンブル署名がアップリンクデータなしで予期しないときに受信されることに基づく、請求項6に記載の方法。
【請求項９】
基地局によってローカルセル識別子衝突を軽減するための装置であって、
第1の基地局でユーザデバイスから、再接続メッセージを受信することであって、前記再接続メッセージが、ユーザデバイス識別子およびローカルセル識別子を含む、こと、
前記第1の基地局において、前記ユーザデバイス識別子および前記ローカルセル識別子に基づいて前記第1の基地局と第2の基地局との間の潜在的なローカルセル識別子衝突を決定すること、
前記再接続メッセージに続き、無線リンク失敗(RLF)レポートの存在を示す接続確立要求を受信すること、
前記潜在的なローカルセル識別子衝突を決定すること、および前記接続確立要求を受信することに応答して、前記RLFレポートからグローバルセル識別子を検索すること、
前記RLFレポートの前記グローバルセル識別子と前記第1の基地局に関連付けられるグローバルセル識別子との間の不一致に基づき前記潜在的なローカルセル識別子衝突を確認すること、および
前記第1の基地局によって、前記確認されたローカルセル識別子衝突に応答して、前記第1の基地局または前記第2の基地局の1つまたは複数の通信パラメータを変更する、または変更されるようにすること
を行うように構成された少なくとも1つのプロセッサと、
前記少なくとも1つのプロセッサに結合されたメモリと
を含む、装置。
【請求項１０】
前記ユーザデバイス識別子が、セル無線ネットワーク一時識別子(c-RNTI)を含み、前記ローカルセル識別子が、物理セル識別子(PCI)を含む、請求項9に記載の装置。
【請求項１１】
前記少なくとも1つのプロセッサが、受信した前記PCIが前記第1の基地局の前記PCIに一致すること、および前記c-RNTIが前記第1の基地局によってユーザデバイスに割り当てられたいかなるc-RNTIにも一致しないことに基づいて、前記潜在的なローカルセル識別子衝突を決定するように構成される、請求項10に記載の装置。
【請求項１２】
前記再接続メッセージが、shortMAC-Iをさらに含む、請求項10に記載の装置。
【請求項１３】
前記少なくとも1つのプロセッサが、受信した前記PCIが前記第1の基地局の前記PCIと一致すること、および前記c-RNTIが前記第1の基地局によって少なくとも1つのユーザデバイスに割り当てられたc-RNTIに一致すること、および前記shortMAC-Iが前記第1の基地局によって前記一致するc-RNTIを割り当てられた同じユーザデバイスの現在のshortMAC-Iに一致しないことに基づいて、前記潜在的なローカルセル識別子衝突を決定するように構成される、請求項12に記載の装置。
【請求項１４】
前記少なくとも1つのプロセッサが、前記ユーザデバイスに割り当てられるプリアンブル署名を受信するようにさらに構成される、請求項9に記載の装置。
【請求項１５】
前記少なくとも1つのプロセッサが、前記第1の基地局がいかなるユーザデバイスにも前記プリアンブル署名を割り当てていないことに基づいて、前記潜在的なローカルセル識別子衝突を決定するように構成される、請求項14に記載の装置。
【請求項１６】
前記少なくとも1つのプロセッサが、前記第1の基地局が前記第1の基地局の制御下のユーザデバイスに前記プリアンブル署名を割り当てたこと、および前記プリアンブル署名がアップリンクデータなしで予期しないときに受信されることに基づいて、前記潜在的なローカルセル識別子衝突を決定するように構成される、請求項14に記載の装置。
【請求項１７】
基地局によってローカルセル識別子衝突を検出するための装置であって、
第1の基地局でユーザデバイスから、再接続メッセージを受信するための手段であって、前記再接続メッセージが、ユーザデバイス識別子およびローカルセル識別子を含む、手段と、
前記第1の基地局において、前記ユーザデバイス識別子および前記ローカルセル識別子に基づいて前記第1の基地局と第2の基地局との間の潜在的なローカルセル識別子衝突を決定するための手段と、
前記再接続メッセージに続き、無線リンク失敗(RLF)レポートの存在を示す接続確立要求を受信するための手段と、
前記潜在的なローカルセル識別子衝突を決定すること、および前記接続確立要求を受信することに応答して、前記RLFレポートからグローバルセル識別子を検索するための手段と、
前記RLFレポートの前記グローバルセル識別子と前記第1の基地局に関連付けられるグローバルセル識別子との間の不一致に基づき前記潜在的なローカルセル識別子衝突を確認するための手段と、
前記第1の基地局によって、前記確認されたローカルセル識別子衝突に応答して、前記第1の基地局または前記第2の基地局の1つまたは複数の通信パラメータを変更する、または変更されるようにするための手段と
を含む、装置。
【請求項１８】
前記ユーザデバイス識別子が、セル無線ネットワーク一時識別子(c-RNTI)を含み、前記ローカルセル識別子が、物理セル識別子(PCI)を含む、請求項17に記載の装置。
【請求項１９】
決定するための前記手段が、受信した前記PCIが前記第1の基地局の前記PCIに一致すること、および前記c-RNTIが前記第1の基地局によってユーザデバイスに割り当てられたいかなるc-RNTIにも一致しないことに基づいて、前記潜在的なローカルセル識別子衝突を決定するための手段を含む、請求項18に記載の装置。
【請求項２０】
前記再接続メッセージが、shortMAC-Iをさらに含む、請求項18に記載の装置。
【請求項２１】
決定するための前記手段が、受信した前記PCIが前記第1の基地局の前記PCIと一致すること、および前記c-RNTIが前記第1の基地局によって少なくとも1つのユーザデバイスに割り当てられたc-RNTIに一致すること、および前記shortMAC-Iが前記第1の基地局によって前記一致するc-RNTIを割り当てられた同じユーザデバイスの現在のshortMAC-Iに一致しないことに基づいて、前記潜在的なローカルセル識別子衝突を決定するための手段を含む、請求項20に記載の装置。
【請求項２２】
前記第2の基地局によって前記ユーザデバイスに割り当てられるプリアンブル署名を受信するための手段をさらに含む、請求項17に記載の装置。
【請求項２３】
決定するための前記手段が、前記第1の基地局がいかなるユーザデバイスにも前記プリアンブル署名を割り当てていないことに基づいて、前記潜在的なローカルセル識別子衝突を決定するための手段を含む、請求項22に記載の装置。
【請求項２４】
決定するための前記手段が、前記第1の基地局が前記第1の基地局の制御下のユーザデバイスに前記プリアンブル署名を割り当てたこと、および前記プリアンブル署名がアップリンクデータなしで予期しないときに受信されることに基づいて、前記潜在的なローカルセル識別子衝突を決定するための手段を含む、請求項22に記載の装置。
【請求項２５】
少なくとも1つのプロセッサによって実行されるとき、前記少なくとも1つのプロセッサに、基地局によってローカルセル識別子衝突を検出するための動作を行わせるコードを含むコンピュータ可読媒体であって、
第1の基地局でユーザデバイスから、再接続メッセージを受信するためのコードであって、前記再接続メッセージが、ユーザデバイス識別子およびローカルセル識別子を含む、コードと、
前記第1の基地局において、前記ユーザデバイス識別子および前記ローカルセル識別子に基づいて前記第1の基地局と第2の基地局との間の潜在的なローカルセル識別子衝突を決定するためのコードと、
前記再接続メッセージに続き、無線リンク失敗(RLF)レポートの存在を示す接続確立要求を受信するためのコードと、
前記潜在的なローカルセル識別子衝突を決定すること、および前記接続確立要求を受信することに応答して、前記RLFレポートからグローバルセル識別子を検索するためのコードと、
前記RLFレポートの前記グローバルセル識別子と前記第1の基地局に関連付けられるグローバルセル識別子との間の不一致に基づき前記潜在的なローカルセル識別子衝突を確認するためのコードと、
前記第1の基地局によって、前記確認されたローカルセル識別子衝突に応答して、前記第1の基地局または前記第2の基地局の1つまたは複数の通信パラメータを変更する、または変更されるようにするためのコード
を含む、コンピュータ可読媒体。
【請求項２６】
前記ユーザデバイス識別子が、セル無線ネットワーク一時識別子(c-RNTI)を含み、前記ローカルセル識別子が、物理セル識別子(PCI)を含む、請求項25に記載のコンピュータ可読媒体。
【請求項２７】
決定するための前記コードが、受信した前記PCIが前記第1の基地局の前記PCIに一致すること、および前記c-RNTIが前記第1の基地局によってユーザデバイスに割り当てられたいかなるc-RNTIにも一致しないことに基づいて、前記潜在的なローカルセル識別子衝突を決定するためのコードを含む、請求項26に記載のコンピュータ可読媒体。
【請求項２８】
前記再接続メッセージが、shortMAC-Iをさらに含む、請求項26に記載のコンピュータ可読媒体。
【請求項２９】
決定するための前記コードが、受信した前記PCIが前記第1の基地局の前記PCIと一致すること、および前記c-RNTIが前記第1の基地局によって少なくとも1つのユーザデバイスに割り当てられたc-RNTIに一致すること、および前記shortMAC-Iが前記第1の基地局によって前記一致するc-RNTIを割り当てられた同じユーザデバイスの現在のshortMAC-Iに一致しないことに基づいて、前記潜在的なローカルセル識別子衝突を決定するためのコードを含む、請求項28に記載のコンピュータ可読媒体。
【請求項３０】
前記第2の基地局によって前記ユーザデバイスに割り当てられるプリアンブル署名を受信するための手段をさらに含む、請求項25に記載のコンピュータ可読媒体。
【請求項３１】
決定するための前記コードが、前記第1の基地局がいかなるユーザデバイスにも前記プリアンブル署名を割り当てていないことに基づいて、前記潜在的なローカルセル識別子衝突を決定するためのコードを含む、請求項30に記載のコンピュータ可読媒体。
【請求項３２】
決定するための前記コードが、前記第1の基地局が前記第1の基地局の制御下のユーザデバイスに前記プリアンブル署名を割り当てたこと、および前記プリアンブル署名がアップリンクデータなしで予期しないときに受信されることに基づいて、前記潜在的なローカルセル識別子衝突を決定するためのコードを含む、請求項30に記載のコンピュータ可読媒体。
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
基地局によってローカルセル識別子衝突を軽減するための方法であって、
第1の基地局でユーザデバイスから、再接続メッセージを受信するステップであって、前記再接続メッセージが、ユーザデバイス識別子およびローカルセル識別子を含む、ステップと、
前記第1の基地局において、前記ユーザデバイス識別子および前記ローカルセル識別子に基づいて前記第1の基地局と第2の基地局との間の潜在的なローカルセル識別子衝突を決定するステップと、
前記再接続メッセージに続き、無線リンク失敗(RLF)レポートの存在を示す接続確立要求を受信するステップと、
前記潜在的なローカルセル識別子衝突を決定すること、および前記接続確立要求を受信することに応答して、前記RLFレポートからグローバルセル識別子を検索するステップと、
前記RLFレポートの前記グローバルセル識別子と前記第1の基地局に関連付けられるグローバルセル識別子との間の不一致に基づき前記潜在的なローカルセル識別子衝突を確認するステップと、
前記第1の基地局によって、前記確認された潜在的なローカルセル識別子衝突に応答して、前記第1の基地局または前記第2の基地局の1つまたは複数の通信パラメータを変更する、または変更されるようにするステップと
を含む、方法。
【請求項２】
前記ユーザデバイス識別子が、セル無線ネットワーク一時識別子(c-RNTI)を含み、前記ローカルセル識別子が、物理セル識別子(PCI)を含む、請求項1に記載の方法。
【請求項３】
前記潜在的なローカルセル識別子衝突を決定するステップが、受信した前記PCIが前記第1の基地局のPCIに一致すること、および前記c-RNTIが前記第1の基地局によってユーザデバイスに割り当てられたいかなるc-RNTIにも一致しないことに基づく、請求項2に記載の方法。
【請求項４】
前記再接続メッセージが、shortMAC-Iをさらに含む、請求項2に記載の方法。
【請求項５】
前記潜在的なローカルセル識別子衝突を決定するステップが、受信した前記PCIが前記第1の基地局のPCIに一致すること、および前記c-RNTIが前記第1の基地局によって少なくとも1つのユーザデバイスに割り当てられたc-RNTIに一致すること、ならびに前記shortMAC-Iが前記第1の基地局によって前記一致するc-RNTIを割り当てられた同じユーザデバイスの現在のshortMAC-Iに一致しないことに基づく、請求項4に記載の方法。
【請求項６】
前記ユーザデバイスに割り当てられるプリアンブル署名を受信するステップさらに含む、請求項1に記載の方法。
【請求項７】
前記潜在的なローカルセル識別子衝突を決定するステップが、前記第1の基地局がいかなるユーザデバイスにも前記プリアンブル署名を割り当てていないことに基づく、請求項6に記載の方法。
【請求項８】
前記潜在的なローカルセル識別子衝突を決定するステップが、前記第1の基地局が前記第1の基地局の制御下のユーザデバイスに前記プリアンブル署名を割り当てたこと、および前記プリアンブル署名がアップリンクデータなしで予期しないときに受信されることに基づく、請求項6に記載の方法。
【請求項９】
基地局によってローカルセル識別子衝突を軽減するための装置であって、
第1の基地局でユーザデバイスから、再接続メッセージを受信することであって、前記再接続メッセージが、ユーザデバイス識別子およびローカルセル識別子を含む、こと、
前記第1の基地局において、前記ユーザデバイス識別子および前記ローカルセル識別子に基づいて前記第1の基地局と第2の基地局との間の潜在的なローカルセル識別子衝突を決定すること、
前記再接続メッセージに続き、無線リンク失敗(RLF)レポートの存在を示す接続確立要求を受信すること、
前記潜在的なローカルセル識別子衝突を決定すること、および前記接続確立要求を受信することに応答して、前記RLFレポートからグローバルセル識別子を検索すること、
前記RLFレポートの前記グローバルセル識別子と前記第1の基地局に関連付けられるグローバルセル識別子との間の不一致に基づき前記潜在的なローカルセル識別子衝突を確認すること、および
前記第1の基地局によって、前記確認された潜在的なローカルセル識別子衝突に応答して、前記第1の基地局または前記第2の基地局の1つまたは複数の通信パラメータを変更する、または変更されるようにすること
を行うように構成された少なくとも1つのプロセッサと、
前記少なくとも1つのプロセッサに結合されたメモリと
を含む、装置。
【請求項１０】
前記ユーザデバイス識別子が、セル無線ネットワーク一時識別子(c-RNTI)を含み、前記ローカルセル識別子が、物理セル識別子(PCI)を含む、請求項9に記載の装置。
【請求項１１】
前記少なくとも1つのプロセッサが、受信した前記PCIが前記第1の基地局のPCIに一致すること、および前記c-RNTIが前記第1の基地局によってユーザデバイスに割り当てられたいかなるc-RNTIにも一致しないことに基づいて、前記潜在的なローカルセル識別子衝突を決定するように構成される、請求項10に記載の装置。
【請求項１２】
前記再接続メッセージが、shortMAC-Iをさらに含む、請求項10に記載の装置。
【請求項１３】
前記少なくとも1つのプロセッサが、受信した前記PCIが前記第1の基地局の前記PCIと一致すること、および前記c-RNTIが前記第1の基地局によって少なくとも1つのユーザデバイスに割り当てられたc-RNTIに一致すること、ならびに前記shortMAC-Iが前記第1の基地局によって前記一致するc-RNTIを割り当てられた同じユーザデバイスの現在のshortMAC-Iに一致しないことに基づいて、前記潜在的なローカルセル識別子衝突を決定するように構成される、請求項12に記載の装置。
【請求項１４】
前記少なくとも1つのプロセッサが、前記ユーザデバイスに割り当てられるプリアンブル署名を受信するようにさらに構成される、請求項9に記載の装置。
【請求項１５】
前記少なくとも1つのプロセッサが、前記第1の基地局がいかなるユーザデバイスにも前記プリアンブル署名を割り当てていないことに基づいて、前記潜在的なローカルセル識別子衝突を決定するように構成される、請求項14に記載の装置。
【請求項１６】
前記少なくとも1つのプロセッサが、前記第1の基地局が前記第1の基地局の制御下のユーザデバイスに前記プリアンブル署名を割り当てたこと、および前記プリアンブル署名がアップリンクデータなしで予期しないときに受信されることに基づいて、前記潜在的なローカルセル識別子衝突を決定するように構成される、請求項14に記載の装置。
【請求項１７】
基地局によってローカルセル識別子衝突を検出するための装置であって、
第1の基地局でユーザデバイスから、再接続メッセージを受信するための手段であって、前記再接続メッセージが、ユーザデバイス識別子およびローカルセル識別子を含む、手段と、
前記第1の基地局において、前記ユーザデバイス識別子および前記ローカルセル識別子に基づいて前記第1の基地局と第2の基地局との間の潜在的なローカルセル識別子衝突を決定するための手段と、
前記再接続メッセージに続き、無線リンク失敗(RLF)レポートの存在を示す接続確立要求を受信するための手段と、
前記潜在的なローカルセル識別子衝突を決定すること、および前記接続確立要求を受信することに応答して、前記RLFレポートからグローバルセル識別子を検索するための手段と、
前記RLFレポートの前記グローバルセル識別子と前記第1の基地局に関連付けられるグローバルセル識別子との間の不一致に基づき前記潜在的なローカルセル識別子衝突を確認するための手段と、
前記第1の基地局によって、前記確認された潜在的なローカルセル識別子衝突に応答して、前記第1の基地局または前記第2の基地局の1つまたは複数の通信パラメータを変更する、または変更されるようにするための手段と
を含む、装置。
【請求項１８】
前記ユーザデバイス識別子が、セル無線ネットワーク一時識別子(c-RNTI)を含み、前記ローカルセル識別子が、物理セル識別子(PCI)を含む、請求項17に記載の装置。
【請求項１９】
決定するための前記手段が、受信した前記PCIが前記第1の基地局のPCIに一致すること、および前記c-RNTIが前記第1の基地局によってユーザデバイスに割り当てられたいかなるc-RNTIにも一致しないことに基づいて、前記潜在的なローカルセル識別子衝突を決定するための手段を含む、請求項18に記載の装置。
【請求項２０】
前記再接続メッセージが、shortMAC-Iをさらに含む、請求項18に記載の装置。
【請求項２１】
決定するための前記手段が、受信した前記PCIが前記第1の基地局のPCIと一致すること、および前記c-RNTIが前記第1の基地局によって少なくとも1つのユーザデバイスに割り当てられたc-RNTIに一致すること、ならびに前記shortMAC-Iが前記第1の基地局によって前記一致するc-RNTIを割り当てられた同じユーザデバイスの現在のshortMAC-Iに一致しないことに基づいて、前記潜在的なローカルセル識別子衝突を決定するための手段を含む、請求項20に記載の装置。
【請求項２２】
前記第2の基地局によって前記ユーザデバイスに割り当てられるプリアンブル署名を受信するための手段をさらに含む、請求項17に記載の装置。
【請求項２３】
決定するための前記手段が、前記第1の基地局がいかなるユーザデバイスにも前記プリアンブル署名を割り当てていないことに基づいて、前記潜在的なローカルセル識別子衝突を決定するための手段を含む、請求項22に記載の装置。
【請求項２４】
決定するための前記手段が、前記第1の基地局が前記第1の基地局の制御下のユーザデバイスに前記プリアンブル署名を割り当てたこと、および前記プリアンブル署名がアップリンクデータなしで予期しないときに受信されることに基づいて、前記潜在的なローカルセル識別子衝突を決定するための手段を含む、請求項22に記載の装置。
【請求項２５】
少なくとも1つのプロセッサによって実行されるとき、前記少なくとも1つのプロセッサに、基地局によってローカルセル識別子衝突を検出するための動作を行わせるコードを含む非一時的コンピュータ可読媒体であって、
第1の基地局でユーザデバイスから、再接続メッセージを受信するためのコードであって、前記再接続メッセージが、ユーザデバイス識別子およびローカルセル識別子を含む、コードと、
前記第1の基地局において、前記ユーザデバイス識別子および前記ローカルセル識別子に基づいて前記第1の基地局と第2の基地局との間の潜在的なローカルセル識別子衝突を決定するためのコードと、
前記再接続メッセージに続き、無線リンク失敗(RLF)レポートの存在を示す接続確立要求を受信するためのコードと、
前記潜在的なローカルセル識別子衝突を決定すること、および前記接続確立要求を受信することに応答して、前記RLFレポートからグローバルセル識別子を検索するためのコードと、
前記RLFレポートの前記グローバルセル識別子と前記第1の基地局に関連付けられるグローバルセル識別子との間の不一致に基づき前記潜在的なローカルセル識別子衝突を確認するためのコードと、
前記第1の基地局によって、前記確認された潜在的なローカルセル識別子衝突に応答して、前記第1の基地局または前記第2の基地局の1つまたは複数の通信パラメータを変更する、または変更されるようにするためのコードと
を含む、非一時的コンピュータ可読媒体。
【請求項２６】
前記ユーザデバイス識別子が、セル無線ネットワーク一時識別子(c-RNTI)を含み、前記ローカルセル識別子が、物理セル識別子(PCI)を含む、請求項25に記載の非一時的コンピュータ可読媒体。
【請求項２７】
決定するための前記コードが、受信した前記PCIが前記第1の基地局の前記PCIに一致すること、および前記c-RNTIが前記第1の基地局によってユーザデバイスに割り当てられたいかなるc-RNTIにも一致しないことに基づいて、前記潜在的なローカルセル識別子衝突を決定するためのコードを含む、請求項26に記載の非一時的コンピュータ可読媒体。
【請求項２８】
前記再接続メッセージが、shortMAC-Iをさらに含む、請求項26に記載の非一時的コンピュータ可読媒体。
【請求項２９】
決定するための前記コードが、受信した前記PCIが前記第1の基地局のPCIと一致すること、および前記c-RNTIが前記第1の基地局によって少なくとも1つのユーザデバイスに割り当てられたc-RNTIに一致すること、ならびに前記shortMAC-Iが前記第1の基地局によって前記一致するc-RNTIを割り当てられた同じユーザデバイスの現在のshortMAC-Iに一致しないことに基づいて、前記潜在的なローカルセル識別子衝突を決定するためのコードを含む、請求項28に記載の非一時的コンピュータ可読媒体。
【請求項３０】
前記第2の基地局によって前記ユーザデバイスに割り当てられるプリアンブル署名を受信するための手段をさらに含む、請求項25に記載の非一時的コンピュータ可読媒体。
【請求項３１】
決定するための前記コードが、前記第1の基地局がいかなるユーザデバイスにも前記プリアンブル署名を割り当てていないことに基づいて、前記潜在的なローカルセル識別子衝突を決定するためのコードを含む、請求項30に記載の非一時的コンピュータ可読媒体。
【請求項３２】
決定するための前記コードが、前記第1の基地局が前記第1の基地局の制御下のユーザデバイスに前記プリアンブル署名を割り当てたこと、および前記プリアンブル署名がアップリンクデータなしで予期しないときに受信されることに基づいて、前記潜在的なローカルセル識別子衝突を決定するためのコードを含む、請求項30に記載の非一時的コンピュータ可読媒体。
【請求項３３】
前記ユーザデバイス識別子が、前記ユーザデバイスを識別し、前記ユーザデバイスをサービングセルとして前記第2の基地局に関連付ける、請求項1に記載の方法。
【国際調査報告】
2016517209.tif 000007
2016517209.tif 000008
2016517209.tif 000009
2016517209.tif 000010
2016517209.tif 000011